(57)【要約】      （修正有）【課題】簡単な機構で動作させることが容易であり、使用の安全性を向上させることができるという簡易な機構を有する吸引装置を提供する。【解決手段】吸着装置１０００は、吸引機構１と、空気抽出機構２と、を備える。空気抽出機構は、吸引機構に接続されている。抽気機構は、ポンプ２１と、ピストン２２と、連通管２３と、第１逆止弁と、第２逆止弁と、を備える。ピストンは、ポンプ上に配置されている。連通管の一方の側は、ポンプに接続されている。連通管の他方の側は、吸引機構に接続されている。第１逆止弁は、ポンプの内部であって、連通管の一方の側に配置されている。第２逆止弁は、ポンプ上に配置されている。【選択図】図１
0003233144.tif 000002
【実用新案登録請求の範囲】
【請求項１】
吸引機構と、前記吸引機構に接続された抽気機構とを備え、前記抽気機構は、ポンプと、ピストンと、連通管と、第1逆止弁と、第2逆止弁とを備え、前記ピストンは、前記ポンプに配置され、前記連通管の第1側は、前記ポンプに接続され、前記連通管の第2側は、前記吸引機構に接続され、前記第1逆止弁は、前記ポンプに配置され、前記連通管の第1側に配置され、前記第2逆止弁は、前記ポンプに配置されていることを特徴とする吸引装置。
【請求項２】
前記吸引機構は、吸引ヘッドと、吸引マニホールドと、貯留タンクとを備え、前記吸引マニホールドは、前記吸引ヘッドに接続されて配置され、前記吸引マニホールドは、前記連通管の前記第2の側に接続され、前記吸引ヘッドと前記貯留タンクとは、着脱可能に組み合わされていることを特徴とする請求項1に記載の吸引装置。
【請求項３】
前記吸引ヘッドは、ハウジングと液体抽出管とを備え、前記液体抽出管は、前記ハウジングの内部に接続され、外部に接続され、前記吸入マニホールドは、前記ハウジングの一側に接続されて配置され、前記ハウジング及び前記貯留タンクは、互いに移動して突き合わされるボルト接続部をそれぞれ備えていることを特徴とする請求項2に記載の吸引装置。
【請求項４】
前記ポンプは、管体と蓋体とを備え、前記蓋体は前記管体の上部に着脱可能に組み合わされ、前記管体の底部は延長管で構成され、前記延長管の外側は前記連通管の前記第1の側に接続され、前記第1の逆止弁は前記管体の内側であって前記延長管の内側に配置され、前記第2の逆止弁は前記管体の底部の外側に配置され、前記ピストンは前記管体に配置され、前記ピストンの端部は前記蓋体の外側に延長されていることを特徴とする請求項1に記載の吸引装置。
【請求項５】
前記カバー本体の上部には、さらに携帯用ハンドルが配置され、前記チューブ体及び前記カバー体は、互いに移動して突き合わされるボルト用接続部を有し、前記カバー体は、貫通孔を形成し、前記ピストンの端部は、前記貫通孔を貫通して前記カバー体の外側に延設されていることを特徴とする、請求項4に記載の吸引装置。
【請求項６】
前記第1の逆止弁は、第1の固定部と第1の弁板とを有し、前記第1の弁板は前記第1の固定部の一方側に配置され、前記第1の組立部は前記管体の内側において前記延長管に近い位置に配置され、前記第1の固定部は前記第1の組立部に組み合わされ、前記第1の弁板は前記延長管の内側に配置されていることを特徴とする、請求項4に記載の吸着装置。
【請求項７】
前記第2逆止弁は、第2固定部と第2弁板とを有し、前記第2弁板は、前記第2固定部の一方側に配置され、前記筒体の底部は、ビアホールを形成し、前記筒体の底部の外側の前記ビアホールに近い位置には、第2組立部が配置され、前記第2固定部は、前記第2組立部に組み合わされ、前記第2弁板は、前記ビアホールに配置されていることを特徴とする、請求項4に記載の吸着装置。
【請求項８】
前記ピストンは、ピストンヘッドと、シールリングと、コンロッドと、操作部とを備え、前記シールリングは、前記ピストンヘッドの外周に配置され、前記コンロッドの一方の側は、前記ピストンヘッドと組み合わされ、前記操作部は、前記コンロッドの他方の側に配置され、前記ピストンヘッドは、前記ポンプの内部に配置され、前記シールリングと前記ポンプの内周とは、エアプルーフを形成し、前記コンロッドは、前記ポンプを介して配置され、前記操作部は、前記ポンプの外部に配置されていることを特徴とする請求項1に記載の吸引装置。
【請求項９】
前記連通管は可撓管であることを特徴とする請求項1に記載の吸引装置。
【請求項１０】
前記空気抽出機構は、前記ポンプ内に配置された弾性部材を備え、前記ピストンは、前記弾性部材を介して配置されていることを特徴とする請求項1に記載の吸引装置。
【考案の詳細な説明】
【技術分野】
【０００１】
本考案は、吸引装置に関し、特に、簡易な機構を有し、かつ、電気を有しない作業が容易であり、使用の安全性を向上させることができる吸引装置に関する。
【背景技術】
【０００２】
従来の電動スニフト式吸引機は、通常、電動ポンプ、バッテリ、電源スイッチ、操作ボタン、回収カップ、シリコーン吸着ノズルを構成する。従来の電動スニフト式吸引装置を用いた場合には、シリコーン吸着ノズルは、その上に配置されて配置される。そして、電源スイッチをオンにして、バッテリから電動ポンプに必要な電力を供給した後、操作ボタンを押すことにより電動ポンプを点灯させることにより、電動ポンプが真空圧を発生し、シリコーン吸着ノズルが鼻部を回収カップ内に吸引する。
【０００３】
しかしながら、上述した従来の電動スニフト式吸引機の全体的な機構は、より複雑であり、電池を用いた場合には、電力低下や電解液漏れが懸念されるという不都合やセキュリティが懸念される。また、吸引力が強すぎたり、鼻腔内の鼻腔粘膜にシリコーン吸着ノズルが吸着したりすると、吸引力が強すぎるため、鼻腔粘膜が傷ついてしまう。
【先行技術文献】
【特許文献】
【０００４】
【特許文献１】特開2019-042134号公報
【考案の開示】
【考案が解決しようとする課題】
【０００５】
そこで、本出願人は、上述した関連技術の問題点に鑑みて、簡単な機構で動作させることが容易であり、使用の安全性を向上させることができるという簡易な機構を有する対象物を実現するための吸引装置の研究開発を行った。
【課題を解決するための手段】
【０００６】
上記目的を達成するために、吸引装置は、吸引機構と、空気抽出機構とを備えている。空気抽出機構は、吸引機構に接続されている。抽気機構は、ポンプと、ピストンと、連通管と、第1逆止弁と、第2逆止弁とを備えている。ピストンは、ポンプに配置（接続）されている。連通管の一方の側は、ポンプに接続されている。連通管の他方の側は、吸引機構に接続されている。第1逆止弁は、ポンプの内部であって、連通管の一方の側に配置されている。第2逆止弁は、ポンプ上に配置されている。
【０００７】
したがって、吸引装置を使用する場合には、吸引機構は、一度に配置・配置される。ピストンは、ポンプ内で手動で駆動され、往復運動を進行させる。第1逆止弁及び第2逆止弁は、ポンプ内部に吸入動作及び排気動作を発生させる。吸引機構は、連通管を介して鼻腔を吸引する吸引力を発生する。簡易な機構を有し、かつ、電気を有しない作業が容易であり、使用の安全性を向上させることを目的とする。
【図面の簡単な説明】
【０００８】
【図１】一実施形態の外観図を示す。
【図２】一実施形態を示す分解図である。
【図３】好適な実施形態の使用状態を示す第1の断面図である。
【図４】好適な実施形態の使用状態を示す第2の断面図である。
【図５】他の好適な実施形態の使用状態を示す第1の断面図である。
【図６】他の好適な実施形態の使用状態を示す第2の断面図である。
【考案を実施するための最良の形態】
【０００９】
以下、本発明の目的、特徴、効果を十分に理解するために、本発明を以下の実施形態及び添付図面に詳細に説明する。図1〜図4に示すように、スニフト式吸引装置1000を提供する。スニフト吸引装置1000は、吸引機構1と、空気抽出機構2とを備えている。
【００１０】
空気抽出機構2は、吸引機構1に接続されている。抽気機構2は、ポンプ21と、ピストン22と、連通管23と、第1逆止弁24と、第2逆止弁25とを備えている。ピストン22は、ポンプ21の上に配置されている。連通管23の一方側は、ポンプ21に接続されている。連通管23の他方側は、吸引機構1に接続されている。第1逆止弁24は、ポンプ21の内部であって、連通管23の一方の側に配置されている。第2逆止弁25は、ポンプ21の上に配置されている。
【００１１】
スニフト用吸引装置1000を使用する場合には、吸引機構1を図示しないポンプに配設し、ピストン22を手動で駆動し、ポンプ21で連続的に（又は間欠的に）ピストン22を往復駆動させて往復運動を進行させる。第1逆止弁24及び第2逆止弁25は、ポンプ21の内部に吸入動作及び排気動作を発生させる。ポンプ21が吸入動作を行うと（図3に示すように）、ピストン22が引き上げられ、吸入機構1が連通管23を介してポンプ21内に外気を吸入し、ポンプ21に流入する外気に押された第1逆止弁24がオン状態（同時に第2逆止弁25がオフ状態）となり、ポンプ21の内部に負圧（すなわち、負圧）が形成されて吸入動作が発生する。ポンプ21が排気動作を行うと（図4に示すように）、ピストン22が押し下げられ、ポンプ21の内部の空気に押された第1逆止弁24がオフ状態となり、ポンプ21の内部の空気が連通管23を介して吸引機構1の外部に排気されなくなる（すなわち、排気がなくなる）とともに、ポンプ21の内部の空気に押された第2逆止弁25がオン状態となり、ポンプ21の内部に排気動作が形成される。このため、ポンプ21においてピストン22が駆動されて往復運動が進行し、吸引機構1が吸引力を発生して連通管23を介して鼻腔を吸引する。簡単な機構で、電気を伴わない作業が容易であり、操作が容易であり、使用の安全性を向上させることができる。
【００１２】
本実施形態では、吸引機構1は、吸引ヘッド11と、吸引マニホールド12と、貯留タンク13とを備えている。吸気マニホールド12は、吸着ヘッド11に接続されて配置されている。吸入側マニホールド12は、連通管23の他方側に接続されている。吸着ヘッド11と貯留タンク13とは、着脱可能に組み合わされている。吸着ヘッド11は、筐体111と、液体取出管112とを備えている。液抽出管112は、筐体111に接続されて配置されている。吸気マニホールド12は、筐体111の一側に接続されて配置されている。ハウジング111及び貯留タンク13は、互いに移動して突き合わされたボルト接続部113，131を備えている。
【００１３】
そのため、吸着ヘッド11の筐体111を第1の位置に配置したり、液体取出管112を第1の端部に向けて配置したりすることができる。空気抽出機構2のピストン22をポンプ21で駆動して往復運動を進行させてポンプ21の内部に負圧を形成して吸引動作を行うと、吸引マニホールド12で連通管23を介して吸引力が発生し、吸引ヘッド11の液体取出管112が鼻孔を吸引し、液体取出管112を介して鼻孔が貯留タンク13に排出される。貯留タンク13を洗浄する際には、吸引ヘッド11のハウジング111を貯留タンク13と逆回転させることができ、2つのボルト接続部113，131を介してハウジング111と貯留タンク13とを互いに離脱させることができる。貯留タンク13が洗浄された後、貯留タンク13のボルト接続部131及びハウジング111のボルト接続部113を介して、貯留タンク13とハウジング111とが組み合わされる。したがって、洗浄の効果を容易に得ることができる。
【００１４】
本実施形態では、ポンプ21は、チューブ本体211と、カバー本体212とを備えている。カバー体212は、筒体211の一方の側に着脱可能に組み合わされる。管体211の底部は、延長管213を備えている。延長管213の一方側は、連通管23の一方側に接続されている。第1逆止弁24は、チューブ本体211の内側であって、延長チューブ213の他方側に配置されている。第2逆止弁25は、筒体211の底部の外側に配置されている。ピストン22の一方側は、チューブ本体211の上に配置されている。ピストン22の他方側は、カバー本体212の外側に延出されている。また、カバー体212の上部には、携帯用のハンドル214が配置されている。筒体211及び蓋体212は、互いに移動して突き合わされたボルト接続部215，216を有する。カバー本体212は、貫通孔2121を区画している。ピストン22の他方側は、貫通孔2121を貫通してカバー本体212の外側に延設されている。
【００１５】
このため、ポンプ21の筒体211内でピストン22を駆動して往復運動を進行させることができ、ポンプ21の内部に吸引動作及び排気動作を発生させることができる。ポンプ21が吸引動作を行うと、ピストン22が引き上げられ、吸引機構1が、液体取出管112、吸引マニホールド12、連通管23及び延長管213を介してポンプ21の管体211内に外気を吸引し、延長管213を介して管体211内に流入した外気に押された第1逆止弁24がオン状態（同時に第2逆止弁25がオフ状態）となり、ポンプ21の管体211内に負圧が形成されて吸引動作が行われ、吸引機構1が吸引力を発生して鼻腔を吸引する。ポンプ21が排気動作を行うと、ピストン22が押し下げられ、管体211内の内部空気に押された第1逆止弁24がオフ状態となり、管体211内の内部空気に押された第2逆止弁25がオン状態となり、ポンプ21の管体211内に排気運動が形成される。
【００１６】
また、携帯用ハンドル214によって、容易に又は容易に移動させることができるという効果を奏する。ポンプ21の清掃時には、筒体211を蓋体212（又は携帯用ハンドル214）と逆回転させることができ、2つのボルト接続部215，216を介して筒体211と蓋体212とを互いに離脱させることができる。ポンプ21の清掃後、カバー体212のボルト接続部216及び筒体211のボルト接続部215を介して、カバー体212と筒体211とが組み合わされる。したがって、洗浄の効果を容易に得ることができる。
【００１７】
本実施形態では、第1逆止弁24は、第1固定部241と、第1弁板242とを備えている。第1弁板242は、第1固定部241の一方側に配置されている。チューブ本体211の内部において、延長チューブ213に近い位置には、第1の組立部品217が配置されている。第1固定部241は、第1組立部217と組み合わされる。第1弁板242は、延長管213の他方側に配置されている。また、第2逆止弁25は、第2固定部251と、第2弁板252とを備えている。第2弁板252は、第2固定部251の一方側に配置されている。筒体211の底部には、ビアホール218が形成されている。筒体211の底部の外側のビアホール218に近い位置には、第2組付部219が配置されている。第2固定部251は、第2組立部219と組み合わされる。第2バルブプレート252は、ビアホール218上に配置されている。
【００１８】
これにより、ピストン22をポンプ21内で駆動して往復運動を進行させることができ、管体211内に吸引動作及び排気動作を発生させることができる。ポンプ21が吸入動作を行うと、ピストン22が引き上げられ、吸引機構1が、液抽出管112、吸引マニホールド12、連通管23、及び延長管213を介して管体211内に外気を吸引し、延長管213を介して管体211内に侵入した外気に押された第1逆止弁24の第1弁板242がオン状態となる。同時に、第2逆止弁25の第2弁板252が筒体211の底部のビアホール218を封止した後、筒体211の内部に負圧を形成して吸引動作を行い、吸引機構1が吸引力を発生して鼻腔を吸引する。ポンプ21が排気動作を行うと、ピストン22が押し下げられて、第1逆止弁24の第1弁板242が筒体211内の内気に押されて、第1弁板242が延長管213の他方側をシールすると共に、第2逆止弁25の第2弁板252が筒体211内の内気に押されて、ビアホール218から離れた第2弁板252がオン状態となり、ポンプ21の筒体211内に排気動作が形成される。
【００１９】
本実施形態では、ピストン22は、ピストンヘッド221と、シールリング222と、コンロッド223と、操作部224とを備えている。シールリング222は、ピストンヘッド221の外周に配置されている。コンロッド223の一方の側は、ピストンヘッド221と組み合わされる。操作部224は、コンロッド223の他方の側に配置されている。ピストンヘッド221は、ポンプ21の筒体211の内側に配置されており、シールリング222と筒体211の内周とが空気遮断を形成している。連結ロッド223は、カバー本体212の貫通孔2121に挿通されている。操作部224は、カバー体212の外側に配置されている。
【００２０】
このため、ポンプ21の筒体211内でピストン22を駆動して往復運動を進行させると、操作部224に手動で引張力又は押圧力が作用し、操作部224がピストンヘッド221を駆動して筒体211内を往復運動を進行させ、第1逆止弁24及び第2逆止弁25によりポンプ21の内部に吸引動作及び排気動作が発生する。ピストンヘッド221は、シールリング222とチューブ本体211の内周とを利用して空気の重さを形成することで、吸入動作と排気動作とがより安定した正確なものとなり、また、吸引機構1は吸引力を発生させて鼻孔を吸引して簡単な機構を実現し、電力を作用させずに動作させることが容易となる。
【００２１】
本実施形態において、連通管23は、可撓性を有するチューブであってもよい。このため、可撓管である連通管23を利用することができ、吸引機構1を必要箇所に容易に移動させることができ、また、吸引機構1を収容する際に連通管23を巻き取ることができ、吸引機構1と抽気機構2とを積層して保管スペースを節約することができる。
【００２２】
図5及び図6を参照する。図5及び図6に示すように、本発明のスニフト用吸引装置1000の他の実施形態を示す。本実施形態の主要な技術内容は、先の実施形態と基本的に同様である。ただし、本実施形態では、弾性部材260をさらに備える。弾性部材260は、ポンプ21内に配置され、カバー体212とピストンヘッド221との間に配置され、連結ロッド223は、弾性部材260を介して配置されている。このため、ピストン22が引き上げられると同時に、ピストンヘッド221が弾性部材260に外力を加える。ピストン22が引き上げ力を失うと、弾性部材260の反力に応じてピストンヘッド221が押し下げられてチューブ体211内の空気が押し出され、第1バルブプレート242が閉じられ、第2バルブプレート252が開かれる。したがって、スニフト用吸引装置1000のピストン22を動作させるための必要な力を低減することができ、操作対象を容易に実現することができる。
【００２３】
本実施形態において、弾性部材260は、バネであってもよい。
【００２４】
以上、添付図面を参照しながら本発明の好適な実施形態について説明したが、本発明はかかる例に限定されないことは言うまでもない。上記説明において、種々の置き換え、変更を行ったが、それ以外は、当業者であれば、同様にして実施することができる。したがって、本発明の範囲は、上記した説明ではなくて特許請求の範囲によって示され、特許請求の範囲と均等の意味および範囲内でのすべての変更が含まれることが意図される。
【符号の説明】
【００２５】
吸引機構1、抽気機構2は、ポンプ21、ピストン22、連通管23、第1逆止弁24、第2逆止弁25
【図１】
0003233144.tif 000003
【図２】
0003233144.tif 000004
【図３】
0003233144.tif 000005
【図４】
0003233144.tif 000006
【図５】
0003233144.tif 000007
【図６】
0003233144.tif 000008